(57)【要約】      （修正有）【課題】バイオ２５による作用効果上の植物に対する細菌防除、殺菌作用効果を促進、向上するとともに、タバコからの抽出成分スクラレオールによる処理作用を併化させることによる、植物寄主性のネコブセンチュウの防除作用を発揮することのできる合成樹脂容器に充填した植物用細菌防除剤を提供する。【解決手段】植物用細菌防除剤Ａは、合成樹脂製容器１と、該容器１内に充填した所要量のバイオ２５の液肥４と、前記バイオ２５の液肥４中に投入した所要量のタバコの切葉５とから構成したことを特徴とする。【選択図】図１
0003192490.tif 000002
【実用新案登録請求の範囲】
【請求項１】
合成樹脂製容器１と、該容器１内に充填した所要量のバイオ２５の液肥４と、前記バイオ２５の液肥４中に投入した所要量のタバコの切葉５とから構成したことを特徴とする植物用細菌防除及び殺菌剤。
【請求項２】
前記バイオ２５の液肥４は、前記バイオ２５の非硫黄光合成細菌の培養餌となる菌液を混入した培養水中に、前記バイオ２５を投入するとともに所要期間嫌気処理することにより構成したことを特徴する請求項１記載の植物用細菌防除剤。
【請求項３】
前記タバコの切葉５は、市販のタバコの切葉５を投入することにより構成したことを特徴とする請求項１または２記載の植物用細菌防除剤。
【請求項４】
前記市販のタバコの切葉５は、前記容器１内に充填したバイオ２５の液肥４の量が１リットルに対して市販のタバコであるＰｅａｃｅ（登録商標）、ＳｅｖｅｎＳｔａｒｓ（登録商標）またはＳＨＩＮＳＥＩ（登録商標）の１〜５本分の切葉５を投入することにより構成したことを特徴とする請求項１，２または３記載の植物用細菌防除剤。
【考案の詳細な説明】
【技術分野】
【０００１】
本考案は、果樹あるいは野菜、草花その他の植物の生育を阻害する偏好気性菌（クザリウム、ピリシウム、リゾクトニア等）や線虫類の防除を目的とする植物用細菌防除剤に関するものである。
【背景技術】
【０００２】
植物の生育環境を整えるためには、土壌環境の改善が要求される。
因って、果菜,葉菜、根菜、花弁、果樹の生育に当たっての土壌環境の改善用肥料として、「バイオ２５」（肥料登録  生第８４６９０号）が開発、使用されている。
当該、「バイオ２５」は、鶏糞に有機微生物・機能性肥料である「駿河バイト」を２５％配合し、「駿河菌」（納豆菌（枯草菌）・乳酸菌・酵母菌）および「スーパー光合成菌」、すなわち「非硫黄光合成細菌」で約２ヶ月間以上発酵熟成させた高機能性の肥料である。
【０００３】
しかして、この「バイト２５」は、前記した、「駿河菌」による納豆菌（枯草菌）により有機物を分解する作用効果に加えて、未熟堆肥の分解を促進する作用効果が発揮される。
又、乳酸菌により強力な殺菌作用効果が発揮され、発生する有機酸を植物が吸収すると、耐病性が向上される作用効果が発揮される。
【０００４】
そして、酵母菌により、分解された有機物を、各種アミノ酸など有機栄養物に合成する作用効果が発揮される。
さらには、前記「スーパー光合成細菌」すなわち「非硫黄光合成細菌」により、特に、田んぼでは、有害な有機酸を無害化し、稲の根の育成を向上促進し、納豆菌（枯草菌）や乳酸菌と共生することにより、チッソ固定力が高まり、土壌を肥沃する作用効果が発揮される。
【０００５】
因って、「バイオ２５」は、有効菌により土壌環境が改善され、病害を軽減させる作用効果を有するとともに有効菌が生成するアミノ酸・核酸・有機栄養物が、作物の品質向上に役立つことが広く知られ使用されている。
【０００６】
また最近、農業生物資源研究所が、タバコから抽出した有効成分「スクラレオール」が、トマトに青枯病の抵抗性を持たせることを明らかにし、植物寄主性のネコブセンチュウの防除にも効果があり、新規農薬の原体になると期待する旨の発表がされた記事が「日本農業新聞」（２０１３年（平成２５年）１０月３日）に掲載された。
【先行技術文献】
【非特許文献】
【０００７】
【非特許文献１】バイオ２５ 肥料登録番号 生第８４６９０号（出願人登録）
【非特許文献２】２０１３年１０月３日付「日本農業新聞」「トマト青枯病」に関する掲載記事
【考案の概要】
【考案が解決しようとする課題】
【０００８】
因って、本考案は前記した「バイオ２５」による作用効果上の植物に対する細菌防除、殺菌作用効果を促進、向上するとともに、タバコからの抽出成分「スクラレオール」による処理作用を併化させることによる、植物寄主性のネコブセンチュウの防除作用を発揮することのできる植物用細菌防除剤の提供を目的とするものである。
【０００９】
すなわち、本考案は、前記「バイオ２５」の液肥（パワー菌液）に、タバコのタールを作用させることによって、前記ネコブセンチュウの防除、殺菌作用を発揮するところのスクラレオールを生成することのできることを知見し、本考案に到達したものである。
【課題を解決するための手段】
【００１０】
本考案は、上記課題を解決するために、請求項１の考案は、合成樹脂製容器１と、該容器１内に充填した所要量のバイオ２５の液肥４と、前記バイオ２５の液肥４中に投入した所要量のタバコの切葉５とから構成したことを特徴とする。
【００１１】
又、請求項２の考案は、請求項１記載の考案において、前記バイオ２５の液肥は、前記バイオ２５の非硫黄光合成細菌の培養餌となる菌液を混入した、培養水中に、前記バイオ２５を投入するとともに所要期間嫌気処理することにより構成したことを特徴する。
【００１２】
さらに、請求項３の考案は、請求項１または２記載の考案において、前記タバコの切葉５は、市販のタバコの切葉５を投入することにより構成したことを特徴とする。
【００１３】
また、請求項４の考案は、請求項１，２または３記載の考案において、前記市販のタバコの切葉５は、前記容器１内に充填したバイオ２５の液肥４の量が１リットルに対して市販のタバコであるＰｅａｃｅ（登録商標）、ＳｅｖｅｎＳｔａｒｓ（登録商標）またはＳＨＩＮＳＥＩ（登録商標）の１〜５本分の切葉５を投入することにより構成したことを特徴とする。
【考案の効果】
【００１４】
本考案によれば、植物の生育に対して、バイオ２５による植物の病害となる細菌の防除および殺菌作用効果を得ることができるとともにバイオ２５の液肥４とこれに投入したタバコの切葉５によるタール分によって、特に、植物寄主性のネコブセンチュウの防除作用に効果的なスクラレオールが生成されることから、土壌ＰＨの調整、土壌糖度の増加、土壌病害発顕要因となる偏好気性菌（フザリウム、ピリシウム、リゾクトニアなど）や線虫類の発育抑制、又、放線菌など有用な好気性菌の生育環境を整え、土壌の微生物緩衝能を高める、植物用細菌防除剤として使用することができる。
【００１５】
又、その使用に当たっては、前記した細菌防除作用として有用なスクラレオールの生成を所要の容器１による生成が可能で、細菌防除剤の使用を簡便ならしめる効果を同時に発揮することができる。
【考案を実施するための形態】
【００１６】
以下本考案の実施例を図面とともに説明する。
【実施例１】
【００１７】
図１は本考案の植物用細菌防除剤の実施例１を示す一部を省略した一部線縦断正面図である。
図１において、１は合成樹脂製の容器でこの容器１は耐薬品性の合成樹脂により形成されている。
又、この容器１の注出口部２にはキャップ３が着脱自在に嵌着されている。
そして、当該容器１内には、所要量のバイオ２５の液肥４が充填されている。
【００１８】
さらに、この容器１内に充填したバイオ２５の液肥４中には所要量のタバコの切葉５を投入することにより、本考案の植物用細菌防除剤Ａが構成されている。
【００１９】
前記バイオ２５は、前記したように肥料登録されたもので、生第８４６９０号は、肥料の種類は工業汚泥肥料であって、分析上は、
窒素全量（Ｎ）        １．０６％
リン酸全量（Ｐ２Ｏ５）  ４．３４％
加里全量（Ｋ２Ｏ）     ３．０４％
炭素窒素比            ８．５
（有機炭素（Ｃ）        ８．９９％）
石灰全量（ＣａＯ）    ２５．８６％
の分析・試験結果を得ている。
【００２０】
さて、前記バイオ２５の液肥４については、その一例として、バイオ２５、１Ｋｇを網袋に入れた後、これを２０リットルの水に漬け込む。
【００２１】
又、この水２０リットル中には、バイオ２５の光合成細菌の餌となるパワー菌液２０リットルを投入し、これを良く混ぜ込むものである。
尚、培養参考値としては、下記表１を挙げることができる。
【表１】
0003192490.tif 000003
【００２２】
因って、前記パワー菌液を混入し、バイオ２５を漬け込んだ容器（図示しない）を、ビニール等で不完全密閉状態（嫌気状態）にて、管理水温２５°Ｃ〜３５°Ｃ下に日光の当たる暖かい所に保管しつつ７日〜１０日間嫌気処理することによりバイオ２５の液肥４を形成することができる。
【００２３】
そして、かかるバイオ２５の処理液肥４を容器１内に所要量を充填するとともに前記タバコの切葉５を投入するが、当該タバコの切葉５としては、市販のＰｅａｃｅ（登録商標）１本を、紙巻部分の紙を取除き、切葉５のみを投入して使用することができる。
【００２４】
加えて、ＳｅｖｅｎＳｔａｒｓ（登録商標）、 ＳＨＩＮＳＥＩ（登録商標）等の市販のタバコを同様の方法により、使用することができる。
尚、前記バイオ２５の液肥４の所要量とタバコの切葉５の投入量の割合については、参考例として下記の割合による投入例を挙げるが、これに限定されるものではない。
【００２５】
バイオ２５の液肥４    １リットル
タバコの切葉５（下記（１）〜（３）の各種類と本数）
（１）Ｐｅａｃｅ（両ギリピース）  １本
（２）ＳｅｖｅｎＳｔａｒｓ  ５本
（３）ＳＨＩＮＳＥＩ  １．５本
【００２６】
前記バイオ２５の液肥４については、図２に示すように前記非硫黄光合成細菌、納豆菌（枯草菌）などと共生すると有機酸やエネルギーをやりとりしながら粘質物を出して、嫌気状態をつくる。
また、当該嫌気状態により前記液肥４中に投入したタバコの切葉５によって生成されるスクラレオールは、空気に触れることにより濃度が低下することなく保存されるものである。
【実施例２】
【００２７】
図３は本考案の実施例２を示す側面図で、前記実施例１における容器１を大型（例えば１０〜２０リットル等）容器１０により構成した場合を示すもので、他の構成は、実施例１と同様であるので、説明は省略する。
【００２８】
尚、前記容器１０は、把手１１を備えるとともに注出口部１２には、キャップ１３を装着することにより構成されている。
【００２９】
以上の実施例１，２に示した本考案の植物用細菌防除剤Ａの使用に当たっては、植物の種類に対応するとともに、土壌あるいは植物の葉面等に直接撒布しつつ使用することができ、又、使用に当たっては、容器１、１０による運搬並びに持ち運びが可能であるとともに注出口部２，１２を開口しつつ容器１、１０に充填されるバイオ２５の液肥４を植物用細菌防除剤として使用することができるものであり、同時に、投入したタバコの切葉５により生成されるスクラレオール等による防除、殺菌作用を期待することができる。
【図面の簡単な説明】
【００３０】
【図１】本考案植物用細菌防除剤の一部省略一部縦断正面図（実施例１）
【図２】バイオ２５の液肥の作用説明図
【図３】本考案植物用細菌防除剤の側面図（実施例２）
【符号の説明】
【００３１】
１、１０  容器
２，１２  注出口部
３、１３  キャップ
４  バイオ２５の液肥
５  タバコの切葉
１１  把手
Ａ  植物用細菌防除剤
【図１】
0003192490.tif 000004
【図２】
0003192490.tif 000005
【図３】
0003192490.tif 000006
【手続補正書】
【提出日】平成26年6月13日(2014.6.13)
【手続補正１】
【補正対象書類名】明細書
【補正対象項目名】００１３
【補正方法】変更
【補正の内容】
【００１３】
また、請求項４の考案は、請求項１，２または３記載の考案において、前記市販のタバコの切葉５は、前記容器１内に充填したバイオ２５の液肥４の量が１リットルに対して市販のタバコの種類に応じて１〜５本分の切葉５を投入することにより構成したことを特徴とする。
【手続補正２】
【補正対象書類名】実用新案登録請求の範囲
【補正対象項目名】全文
【補正方法】変更
【補正の内容】
【実用新案登録請求の範囲】
【請求項１】
合成樹脂製容器（１）と、該容器（１）内に充填した所要量のバイオ２５の液肥（４）と、前記バイオ２５の液肥（４）中に投入した所要量のタバコの切葉（５）とから構成したことを特徴とする植物用細菌防除及び殺菌剤。
【請求項２】
前記バイオ２５の液肥（４）は、前記バイオ２５の非硫黄光合成細菌の培養餌となる菌液を混入した培養水中に、前記バイオ２５を投入するとともに所要期間嫌気処理することにより構成したことを特徴する請求項１記載の植物用細菌防除剤。
【請求項３】
前記タバコの切葉（５）は、市販のタバコの切葉（５）を投入することにより構成したことを特徴とする請求項１または２記載の植物用細菌防除剤。
【請求項４】
前記市販のタバコの切葉（５）は、前記容器（１）内に充填したバイオ２５の液肥（４）の量が１リットルに対して市販のタバコの種類に応じて１〜５本分の切葉（５）を投入することにより構成したことを特徴とする請求項１，２または３記載の植物用細菌防除剤。